(57)【要約】【課題】フィルタの交換作業を容易に行うことができるフィルタの取付構造及びこれを備えた建設機械を提供すること。【解決手段】上部ドア１０に設けられ、フィルタ８を上部ドア１０に保持させる保持状態と、前記上部ドア１０に対するフィルタ８の保持を解除する解放状態との間で変位可能なロック部材１６を備え、このロック部材１６は、前記解放状態においてフィルタ８を上部ドア１０に取り付ける操作に応じて前記保持状態に変位する。【選択図】図５
2008088653.tif 000002
【特許請求の範囲】
【請求項１】
建設機械の熱交換器を収納するための収納室を形成する壁部と、この壁部を貫通して前記収納室と外部とを連通する吸気口と、この吸気口を覆うように前記壁部に対して着脱可能に取り付けられるフィルタとを有するフィルタの取付構造であって、
前記壁部に設けられ、前記フィルタを壁部に保持させる保持状態と、前記壁部に対するフィルタの保持を解除する解放状態との間で切換可能なロック部材を備え、
このロック部材は、前記解放状態において前記フィルタを前記壁部に取り付ける操作に応じて前記保持状態に切り換わることを特徴とするフィルタの取付構造。
【請求項２】
前記壁部には前記フィルタを取り付けるための取付面が設定されているとともに、前記フィルタは操作部を備え、前記ロック部材は、前記解放状態において、前記取付面に対する前記フィルタの取り付け操作に応じて前記操作部により操作可能となる位置に設けられる被操作部を備え、この被操作部が前記操作部により操作されることによって前記ロック部材が解放状態から保持状態に切り換わることを特徴とする請求項１に記載のフィルタの取付構造。
【請求項３】
前記ロック部材は、前記保持状態において前記操作部を取付面に対し押し付けることにより前記フィルタを壁部に保持させる押圧部を備えていることを特徴とする請求項２に記載のフィルタの取付構造。
【請求項４】
前記押圧部は、前記取付面から前記フィルタを離間させる操作に応じて移動する前記操作部によって、前記ロック部材を保持状態から解放状態に切り換え操作可能に構成されていることを特徴とする請求項３に記載のフィルタの取付構造。
【請求項５】
前記ロック部材は、前記保持状態においてフィルタを前記取付面に対し圧接させることにより当該フィルタを壁部に保持させるように構成されている一方、前記壁部は、前記取付面を有するシール部を備え、このシール部が前記フィルタの圧接に応じて弾性変形することにより、前記吸気口からフィルタへの気体の流通を許容しながら前記壁部とフィルタとの間の気体の流通が阻止されることを特徴とする請求項２〜４の何れか１項に記載のフィルタの取付構造。
【請求項６】
前記フィルタは、特定の方向における一方の端末が前記壁部に対し回動可能に軸支される軸支端とされているとともに、前記特定方向における他方の端末が前記軸支端を中心として前記シール部に圧接された圧接位置と前記シール部から離間した離間位置との間で回動する回動端とされ、この回動端に前記操作部が設けられているとともにこの操作部によって操作可能となる位置に前記ロック部材が設けられていることを特徴とする請求項５に記載のフィルタの取付構造。
【請求項７】
前記壁部は、前記取付面と平行し、かつ、前記特定方向と直交する軸線を有するとともに、前記取付面と直交する方向において前記シール部から離間した位置に設けられた回動軸を備えている一方、前記フィルタは、前記軸支端の端面から突設され前記回動軸とシール部との間に挿入されることにより前記回動軸に対し回動可能に係合される係合部を備え、前記回動軸は、前記フィルタが壁部に保持された状態において前記軸支端が前記シール部に圧接されるように、前記取付面から予め規定された距離だけ離間した位置に設けられていることを特徴とする請求項６に記載のフィルタの取付構造。
【請求項８】
前記ロック部材及び回動軸は、これら両者の間で前記壁部に保持されたフィルタが、前記特定方向において前記取付面から外れた位置に移動するのを規制するように構成されていることを特徴とする請求項７に記載のフィルタの取付構造。
【請求項９】
前記係合部は、前記軸支端及び回動端のそれぞれに設けられ、これら係合部は、一方の係合部が前記回動軸に係合した状態における回動操作に応じて他方の係合部によって前記被操作部を操作することが可能に構成されていることを特徴とする請求項８に記載のフィルタの取付構造。
【請求項１０】
作業アタッチメントが設けられた機体を有し、この機体が、請求項１〜９の何れか１項に記載のフィルタの取付構造と、前記収納室に収納された熱交換器とを備えていることを特徴とする建設機械。
【発明の詳細な説明】
【技術分野】
【０００１】
本発明は、熱交換器を収納する建設機械の収納室内へ外気を導入するための吸気口に設けられるフィルタの取付構造に関するものである。
【背景技術】
【０００２】
従来から、建設機械には、その駆動源としてのエンジンや油圧ポンプ等に付随するラジエータやオイルクーラ等の熱交換器を収納するための収納室を形成する壁部と、前記収納室内と外部とを連通するように前記壁部を貫通する吸気口とが設けられている。
【０００３】
前記壁部には、前記吸気口を覆うようにフィルタが設けられている。これにより、吸気口を通して外気を導入する際に、当該外気に含まれる埃や塵等が収納室内に入り込むのを抑制するようにしている。
【０００４】
そして、前記フィルタは、前記壁部に対し着脱可能とされ、目詰まり等の性能劣化が生じた際に適宜交換される。具体的に、フィルタと壁部との取り付けには、両者をボルトによって着脱可能に固定する構造が採用されていた（例えば、特許文献１）。
【特許文献１】特開２００５−３２５５９０号公報
【発明の開示】
【発明が解決しようとする課題】
【０００５】
しかしながら、特許文献１のようにボルトによってフィルタと壁部とを固定する取付構造を採用すると、フィルタの交換のたびにボルトを緩める操作及び締め付ける操作が必要となり、作業性が悪かった。
【０００６】
本発明は、上記課題に鑑みてなされたものであり、フィルタの交換作業を容易に行うことができるフィルタの取付構造及びこれを備えた建設機械を提供することを目的としている。
【課題を解決するための手段】
【０００７】
上記課題を解決するために、本発明は、建設機械の熱交換器を収納するための収納室を形成する壁部と、この壁部を貫通して前記収納室と外部とを連通する吸気口と、この吸気口を覆うように前記壁部に対して着脱可能に取り付けられるフィルタとを有するフィルタの取付構造であって、前記壁部に設けられ、前記フィルタを壁部に保持させる保持状態と、前記壁部に対するフィルタの保持を解除する解放状態との間で切換可能なロック部材を備え、このロック部材は、前記解放状態において前記フィルタを前記壁部に取り付ける操作に応じて前記保持状態に切り換わることを特徴とするフィルタの取付構造を提供する。
【０００８】
本発明によれば、フィルタを壁部に対し取り付ける操作に応じてロック部材を解放状態から保持状態へ切換えることができるので、フィルタを取り付ける際に従来のようにボルトを緩める操作や締付ける操作が不要となり、壁部に対するフィルタの取り付けを容易に行うことができる。
【０００９】
具体的に、前記壁部には前記フィルタを取り付けるための取付面が設定されているとともに、前記フィルタは操作部を備え、前記ロック部材は、前記解放状態において、前記取付面に対する前記フィルタの取り付け操作に応じて前記操作部により操作可能となる位置に設けられる被操作部を備え、この被操作部が前記操作部により操作されることによって前記ロック部材が解放状態から保持状態に切り換わることが好ましい。
【００１０】
このようにすれば、フィルタに設けられた操作部によって被操作部を操作することにより、ロック部材を解放状態から保持状態に切換えることができる。
【００１１】
また、前記ロック部材は、前記保持状態において前記操作部を取付面に対し押し付けることにより前記フィルタを壁部に保持させる押圧部を備えていることが好ましい。
【００１２】
このようにすれば、押圧部によって操作部を取付面に押し付けることにより、フィルタを壁部に保持させることができる。
【００１３】
フィルタを壁部から取り外す際の操作性の観点から、前記押圧部は、前記取付面から前記フィルタを離間させる操作に応じて移動する前記操作部によって、前記ロック部材を保持状態から解放状態に切り換え操作可能に構成されていることが好ましい。
【００１４】
このようにすれば、フィルタを壁部から取り外す動作に連動して、ロック部材を保持状態から解放状態に切換えることができるので、フィルタの取り付け及び取り外しの何れの操作についても容易に行うことができる。
【００１５】
前記フィルタの取付構造において、前記ロック部材は、前記保持状態においてフィルタを前記取付面に対し圧接させることにより当該フィルタを壁部に保持させるように構成されている一方、前記壁部は、前記取付面を有するシール部を備え、このシール部が前記フィルタの圧接に応じて弾性変形することにより、前記吸気口からフィルタへの気体の流通を許容しながら前記壁部とフィルタとの間の気体の流通が阻止されることが特に好ましい。
【００１６】
このようにすれば、シール部を弾性変形させることにより、壁部とフィルタとの間の気体の流通が阻止されるので、当該壁部とフィルタとの間から収納室内に直接気体が導入されるのを抑制して、より効果的に気体中の異物を取り除くことができる。
【００１７】
前記フィルタは、特定の方向における一方の端末が前記壁部に対し回動可能に軸支される軸支端とされているとともに、前記特定方向における他方の端末が前記軸支端を中心として前記シール部に圧接された圧接位置と前記シール部から離間した離間位置との間で回動する回動端とされ、この回動端に前記操作部が設けられているとともにこの操作部によって操作可能となる位置に前記ロック部材が設けられていることが好ましい。
【００１８】
このようにすれば、軸支端を中心として回動端を回動させることにより、当該回動端に設けられた操作部によってロック部材を操作することができるので、扉の開閉操作のようにしてフィルタの着脱操作を行うことができる。
【００１９】
前記のように軸支端を中心としてフィルタを回動操作する構成とした場合、前記壁部は、前記取付面と平行し、かつ、前記特定方向と直交する軸線を有するとともに、前記取付面と直交する方向において前記シール部から離間した位置に設けられた回動軸を備えている一方、前記フィルタは、前記軸支端の端面から突設され前記回動軸とシール部との間に挿入されることにより前記回動軸に対し回動可能に係合される係合部を備え、前記回動軸は、前記フィルタが壁部に保持された状態において前記軸支端が前記シール部に圧接されるように、前記取付面から予め規定された距離だけ離間した位置に設けられていることが好ましい。
【００２０】
このようにすれば、フィルタが壁部に保持された状態において、係合部と回動軸との係合によって前記軸支端をシール部に圧接することができるため、前記ロック部材による押圧力と相俟って、フィルタの全体を有効にシール部に圧接することができる。
【００２１】
ここで、前記ロック部材及び回動軸は、これら両者の間で前記壁部に保持されたフィルタが、前記特定方向において前記取付面から外れた位置に移動するのを規制するように構成されていることが好ましい。
【００２２】
このようにすれば、前記壁部に対しフィルタを取り付けるために必要な回動軸及びロック部材を利用して、フィルタが取付面から外れた位置に移動することも規制することができるので、この規制のために特別な構成を追加する場合よりもコストを低減することができる。
【００２３】
また、前記係合部は、前記軸支端及び回動端のそれぞれに設けられ、これら係合部は、一方の係合部が前記回動軸に係合した状態における回動操作に応じて他方の係合部によって前記被操作部を操作することが可能に構成されていることが好ましい。
【００２４】
このようにすれば、フィルタの軸支端と回動端とを区別することなく、前記特定方向で反転した姿勢としてもフィルタを壁部に対し着脱することができる。
【００２５】
さらに、本発明は、作業アタッチメントが設けられた機体を有し、この機体が、前記フィルタの取付構造と、前記収納室に収納された熱交換器とを備えていることを特徴とする建設機械を提供する。
【発明の効果】
【００２６】
本発明によれば、フィルタを壁部に対し取り付ける操作に応じてロック部材を解放状態から保持状態へ切換えることができるので、フィルタを取り付ける際に従来のようにボルトを緩める操作や締付ける操作が不要となり、壁部に対するフィルタの取り付けを容易に行うことができる。
【発明を実施するための最良の形態】
【００２７】
以下、本発明の好ましい実施形態について図面を参照して説明する。
【００２８】
図１は、本発明に係る油圧ショベルの全体構成を示す平面図である。図２は、図１の油圧ショベルの側面図である。図３は、図２のIII−III線断面図である。
【００２９】
図１〜図３を参照して、建設機械の一例としての油圧ショベル１は、クローラ式の下部走行体２と、この下部走行体２上に旋回可能に搭載された上部旋回体３と、この上部旋回体３に起伏可能に設けられた作業アタッチメント４とを備えている。
【００３０】
上部旋回体３は、前記下部走行体２上に設けられた旋回フレーム５と、この旋回フレーム５上を覆うように設けられたカバー６と、これら旋回フレーム５とカバー６との間の収納室Ｓ１（図３参照）内に設けられたラジエータ（熱交換器）７と、前記収納室Ｓ１内に導入される外気から異物を除去するフィルタ８とを備えている。
【００３１】
旋回フレーム５は、前記下部走行体２に対し旋回可能に連結され、前記作業アタッチメント４を起伏可能に支持するようになっている。また、旋回フレーム５の前部には、キャブＣが立設されている。以下、キャブＣに着座するオペレータの視点における前後左右方向を用いて説明する。
【００３２】
前記カバー６は、前記作業アタッチメント４の周囲を取り囲むように平面視コの字型に形成されたカバー本体９と、このカバー本体９の上面に開閉可能に設けられた上部ドア１０と、前記カバー本体９の右側面に開閉可能に設けられた側部ドア１１とを備え、これらカバー本体９、上部ドア１０及び側部ドア１１によって旋回フレーム５上に収納室Ｓ１を形成している。つまり、本実施形態では、旋回フレーム５及びカバー６が壁部の一例を構成している。
【００３３】
前記上部ドア１０は、収納室Ｓ１と外部とを連通させるようにカバー本体９の上面に形成された貫通孔（図示せず）を塞ぐ図１及び図２の実線で示す姿勢と、図２の二点鎖線で示すように、前記貫通孔を上方に開放して外部から前記収納室Ｓ１内へのアクセスを可能とする姿勢との間で、前記カバー本体９に対し前後方向の軸回りに揺動可能とされている。以下、図４〜図６を参照して上部ドア１０の具体的構成について説明する。
【００３４】
図４は、図１に示す上部ドアの内側を示す平面一部略図である。図５は、図４のV−V線断面図である。図６は、図５の要部を拡大して示す図である。
【００３５】
前記上部ドア１０は、前記カバー本体９に対し揺動可能に取り付けられた蓋体１２と、この蓋体１２の内側に設けられたブラケット１４と、このブラケット１４に設けられた回動軸１５及びロック部材１６とを備えている。
【００３６】
蓋体１２の左上の肩部には、前記収納室Ｓ１を外部に連通させるように当該蓋体１２を貫通する複数の吸気口１７（図２及び図５参照）が形成されている。これら吸気口１７を通して前記ラジエータ７に対する冷却用の空気が収納室Ｓ１内に導入される。
【００３７】
ブラケット１４は、蓋体１２の内側面に固定された底板１８と、この底板１８の内側面に貼着された弾性部材（シール部）１９と、前記底板１８から折り返された一対の縦板２０及び縦板２１とを備えている。底板１８は、前後方向に延びる略長方形の板部材であり、前記各吸気口１７から導入された外気を収納室Ｓ１内に案内するための貫通孔１８ａが形成されている。この貫通孔１８ａは、長方形の開口形状とされている。前記弾性部材１９は、発泡ウレタン樹脂等からなり、前記貫通孔１８ａの縁部を構成する底板１８の内側面に貼着されている。また、本実施形態では、弾性部材１９の内側面が前記フィルタ８の縁部を押し付けるための取付面１９ａとされている。前記縦板１９、２０は、前記底板１８の幅（短手）方向の両縁部が蓋体１２の反対側へ直角に折り返されて形成されている。なお、前記底板１８と蓋体１２との間の気体の流通は図外のシール材等によって阻止されている。
【００３８】
回動軸１５は、前記ブラケット１４の後部で各縦板１９、２０間を連結するように設けられている。具体的に、回動軸１５は、前記取付面１９ａと平行し、かつ、各縦板１９、２０と直交する方向に延びて配置されている。回動軸１５は、前記取付面１９ａと直交する方向（図６の上下方向）において前記弾性部材１９から予め設定された距離Ｄ１だけ離間した位置に設けられている（図６の（ａ）参照）。詳しくは後述するが、この距離Ｄ１は、フィルタ８が後述する上部ドア１０に取り付けられた状態において、当該フィルタ８の後端部により弾性部材１９を圧接することができるように設定されている。
【００３９】
ロック部材１６は、前記ブラケット１４の前部で底板１８上に設けられている。以下、ロック部材１６の具体的構成を図７及び図８を参照して説明する。
【００４０】
図７は、図４のロック部材を拡大して示す、（ａ）は正面図、（ｂ）は平面図である。図８は、図７のロック部材の動作を示す断面図であり、（ａ）は回動部が解放位置の状態、（ｂ）は回動部が押圧位置の状態をそれぞれ示している。
【００４１】
ロック部材１６は、前記底板１８上に固定される本体部２２と、この本体部２２に対し回動可能に取り付けられた回動部２３と、この回動部２３を前記本体部２２に対し付勢する引張ばね２４とを備えている。
【００４２】
本体部２２は、Ω字型に折り曲げられた金属板であり、その裾野部分である一対の固定部２５及び固定部２６と、これら固定部２５、２６から直角に折り返された一対の側板２７及び側板２８と、これら側板２７、２８の上端部同士を繋ぐ天板２９とを備えている。各固定部２５、２６は、図略のボルトによって前記底板１８上に固定されている。前記天板２９は、その後端面２９ａが各側板２７、２８の後端面よりも前寄りとなるように切り欠かれ、当該後端面２９ａが後述する回動部２３の回り止め用の規制面として機能するようになっている（以下、規制面２９ａと称する）。
【００４３】
回動部２３は、コの字型に折り曲げられた金属板であり、相対向する一対の対向板３０及び対向板３１と、これら対向板３０、３１の端部同士を繋ぐ連結板３２とを備えている。各対向板３０、３１は、図７に示すように、略長方形に形成された押圧部３３と、この押圧部３３から鉤状に延びる被操作部３４とをそれぞれ一体に有する側面形状とされている。そして、前記回動部２３は、各対向板３１が前記各側板２７、２８の間に配置された状態で、これら側板２７、２８にそれぞれ設けられた軸Ｊ１によって前記本体部２２に対し前後方向に回動可能とされている。具体的に、回動部２３は、押圧部３３の端面３３ａが前記規制面２９ａに当接した図７の（ａ）に示す解放位置（解放状態）と、被操作部３４の端面３４ａが前記天板２９の裏面２９ｂに当接した図７の（ｂ）に示す押圧位置（保持状態）との間で、前記軸Ｊ１回りに回動可能とされている。ここで、前記解放位置では、前記押圧部３３がその長手方向を前記底板１８と直交する方向に向けて起立するとともに被操作部３４が前記本体部２２よりも前方（取付面１９ａ側）に突出した状態となり、前記押圧位置では、被操作部３４が各側板２７、２８間に退避するとともに押圧部３３が後方へ倒伏した状態となる。
【００４４】
前記引張ばね２４は、前記解放位置又は押圧位置の一方の位置に回動部２３が回動したときに、他方の位置に向けた回動部２３の回動を阻止するように、本体部２２に対し回動部２３を付勢している。具体的に、引張ばね２４は、前記各側板２７、２８間を連結する軸Ｊ２と、前記各対向板３０、３１（押圧部３３）間を連結する軸Ｊ３との間に掛け渡されている。そして、これら軸Ｊ２、Ｊ３は、前記軸Ｊ１を中心とする回動部２３の回動位置が、前記解放位置と押圧位置との中間位置とされたときに引張ばね２４に付加される引張力が最も大きくなり、これら解放位置又は押圧位置とされたときに引張ばね２４に付加される引張力が最も小さくなるようにそれぞれ配置されている。したがって、前記回動部２３は、引張ばね２４の付勢力によって前記解放位置又は押圧位置の何れかの位置で保持されることになる。
【００４５】
図３を参照して、前記ラジエータ７は、エンジンＥの冷却水を流通させる図略の流路を備え、図外のファンが作動することに応じて前記吸気口１２から導入された気体により前記流路内の冷却水を冷却することが可能とされている。
【００４６】
再び図４〜図６を参照して、フィルタ８は、前記吸気口１２から導入される気体に含まれる異物を除去する防塵フィルタ３５と、この防塵フィルタ３５の縁部を支持する支持部３６と、この支持部３６に設けられた一対のアングル３７、アングル３８（それぞれ係合部の一例）を備えている。
【００４７】
防塵フィルタ３５は、除去の対象となる異物の大きさに応じて目の粗さが設定されたメッシュ部材であり、前後方向に延びる略長方形板状に形成されている。
【００４８】
支持部３６は、前記取付面１９ａ（弾性部材１９）と略同一の平面形状とされた枠状の金属部材であり、前記防塵フィルタ３５の縁部をその４辺に沿って外側から覆うように断面コの字型（図６参照）に形成されている。
【００４９】
アングル３７は、前記支持部３６の後端面３６ａに固定された固定部３９と、この固定部３９から後方へ直角に折り返された係合部４０とを一体に備えた金属板である。このアングル３７は、詳しくは後述するが、固定部３９と係合部４０との角部に前記回動軸１５を係合させることにより、当該回動軸１５回りに前記支持部３６を回動可能に支持させることが可能とされている。
【００５０】
一方、アングル３８は、前記支持部３６の前端面３６ｂに固定された固定部４１と、この固定部４１から前方へ直角に折り返された係合部（操作部）４２と、前記固定部４１から後方に折り返された把持部４３とを一体に備えた金属板である。つまり、アングル３８は、前記アングル３７よりも固定部４１が長く形成され、この固定部４１のうち前端面３６ｂからはみ出した部分が折り返されて把持部４３とされており、その他の点はアングル３７と同様の構成である。そして、この係合部４２は、前記ロック部材１６の回動部２３と係合して当該ロック部材１６を変位させるようになっている。
【００５１】
以下、前記実施形態の上部ドア１０に対しフィルタ８を着脱する際の操作について図６を参照して説明する。
【００５２】
まず、図６の（ａ）に示すように、前方へ向かうに従いブラケット１４から離間するようにフィルタ８を傾斜させた状態で、当該フィルタ８をブラケット１４に対し前方から後方へ移動させることにより、回動軸１５と底板１８との間に係合部４０を前方から挿入する。
【００５３】
図６の（ｂ）に示すように、回動軸１５が固定部３９と係合部４０との間の角部まで導かれた状態（以下、この状態におけるフィルタの位置を離間位置と称す）とされると、ブラケット１４から離間する方向及び後ろ方向へのフィルタ８の移動が規制され、かつ、前記回動軸１５を中心とするフィルタ８の回動（図の反時計回りの回動）が許容される。この離間位置からフィルタ８の前端部がブラケット１４に近接する方向にフィルタ８を回動させることにより、前記係合部４２がロック部材１６の被操作部３４に当接し、さらにフィルタ８の前端部をブラケット１４に近接させると、被操作部３４がブラケット１４側に押し込まれることにより回動部２３が軸Ｊ１を中心として時計回りに回動する。
【００５４】
前記解放位置と押圧位置との中間位置を超えて回動部２３の回動が進行すると、図６の（ｃ）に示すように、前記引張ばね２４により回動部２３が押圧位置へ回動する方向に付勢され、この付勢力により回動する押圧部３３が係合部４２と当接する。
【００５５】
その後は、前記引張ばね２４の付勢力によって係合部４２がブラケット１４側に押し付けられ、最終的には、図６の（ｄ）に示す圧接位置までフィルタ８が回動して、支持部３６とブラケット１４との間で弾性部材１９が押し縮められた状態でフィルタ８がブラケット１４に保持される。これは、支持部３６に対する係合部４０の位置関係に基づいて、回動軸１５と弾性部材１９との間の距離Ｄ１が予め設定されているためである。すなわち、距離Ｄ１は、回動軸１５に係合部４０が係合した状態で係合部４２がロック部材１６により保持されたときに、前記支持部３６の後端部が弾性部材１９を押し縮めることができる位置となるように設定されている。このように弾性部材１９が押し縮められることにより、前記各吸気口１７から導入された気体が防塵フィルタ３５を通らずに収納室Ｓ１内に導かれるのを防止することができる。
【００５６】
また、この圧接位置においては、フィルタ８の前後方向への移動が規制される。つまり、本実施形態では、押圧部３３の後端部と回動軸１５とのピッチ寸法Ｄ２が予め設定されたフィルタ８のスライド許容値を含む寸法に設定されている。したがって、圧接位置とされたフィルタ８は、前記スライド許容値の分だけ前後方向への移動が許容されるもののそれ以上の移動が規制される。なお、前記スライド許容値とは、フィルタ８が弾性部材１９の取付面１９ａから外れない範囲で定められた前後寸法であり、換言すると、スライド許容値だけフィルタ８が移動しても当該フィルタ８と弾性部材１９との間の気密状態が確保されることになる。
【００５７】
一方、図６の（ｄ）に示すようにブラケット１４に取り付けられたフィルタ８を取り外す場合には、まず、把持部４３を掴んでフィルタ８をブラケット１４から引き離す方向に力をかける。
【００５８】
これにより、図６の（ｃ）に示すように、回動軸１５を中心とするフィルタ８の回動に応じて、係合部４２と当接している押圧部３３が引き出されて回動部２３が反時計回りの回動を始める。
【００５９】
さらにフィルタ８を回動させると、図６の（ｂ）に示すように、回動部２３が引張ばね２４によって解放位置に付勢される。
【００６０】
そして、フィルタ８を図６の（ａ）に示す離間位置まで回動させた状態で、当該フィルタ８を前方へスライドさせることにより、回動軸１５とブラケット１４との間から係合部４０が引き出され、フィルタ８をブラケット１４から取り外すことができる。
【００６１】
以上説明したように、前記実施形態によれば、フィルタ８を上部ドア１０に対し取り付ける操作に応じてロック部材１６を解放位置（解放状態）から押圧位置（保持状態）へ切換えることができるので、フィルタ８を取り付ける際に特別な操作が不要となり、上部ドア１０に対するフィルタ８の取り付けを容易に行うことができる。
【００６２】
前記実施形態のように弾性部材１９を備えた構成とすれば、弾性部材１９を弾性変形させることにより、上部ドア１０とフィルタ８との間の気体の流通が阻止されるので、当該上部ドア１０とフィルタ８との間から収納室Ｓ１内に直接気体が導入されるのを抑制して、より効果的に気体中の異物を取り除くことができる。
【００６３】
前記実施形態のように回動軸１５を中心としてフィルタ８を回動させる構成とすれば、扉の開閉操作のようにしてフィルタ８の着脱操作を行うことができる。
【００６４】
前記実施形態のように回動軸１５に対して係合部４０を係合させる構成とすれば、フィルタ８が上部ドア１０に保持された状態において、係合部４０と回動軸１５との係合によってフィルタ８の後端部を弾性部材１９に圧接することができるため、ロック部材１６による押圧力と相俟って、フィルタ８の全体を有効に弾性部材１９に圧接することができる。
【００６５】
前記実施形態のようにロック部材１６と回動軸１５によってフィルタ８の前後方向の移動が規制される構成とすれば、上部ドア１０に対しフィルタ８を取り付けるために必要な回動軸１５及びロック部材１６を利用して、フィルタ８が取付面１９ａから外れた位置に移動することも規制することができるので、この規制のために特別な構成を追加する場合よりもコストを低減することができる。
【００６６】
なお、前記実施形態では、フィルタ８（支持部３６）の後端面３６ａ及び前端面３６ｂのそれぞれに係合部４０及び係合部４２を設けているので、フィルタ８を前後反転させた場合であっても、図６に示す着脱操作を行うことができる。ただし、フィルタ８をブラケット１４から取り外す際には、把持部４３を掴んだ方が操作し易いため、この場合には、前記アングル３８（把持部４３）を支持部３６の後端面３６ａ及び前端面３６ｂのそれぞれに設けることが好ましい。
【００６７】
また、前記実施形態では、上部ドア１０に対するフィルタ８の取付構造について説明したが、前記カバー６の何れの位置においても収納室Ｓ１内に外気を導入する吸気口が形成されている位置であればフィルタ８の取付位置は特に限定されることはない。例えば、図１及び図２に示す側部ドア１１に対して上述した取付構造を採用することもできる。
【００６８】
前記側部ドア１１は、収納室Ｓ１と外部とを連通させるようにカバー本体９の左側面に形成された貫通孔９ａを塞ぐ図１及び図２に示す姿勢と、図１の二点鎖線で示すように、前記貫通孔を左方に解放して外部から収納室Ｓ１内にアクセスを可能とする姿勢との間で、前記カバー本体９に対し上下方向の軸回りに揺動可能とされている。この側部ドア１１の内側面に上述した取付構造が設けられている。
【００６９】
図９は、図１の側部ドアの内側面を示す正面図である。
【００７０】
図２及び図９を参照して、側部ドア１１は、前記カバー本体９に対し揺動可能に取り付けられた蓋体４４と、この蓋体４４の内側に設けられたベースプレート４５と、このベースプレート４５に設けられた３つのガイドバー４６及び前記ロック部材１６とを備えている。
【００７１】
蓋体４４には、前記収納室Ｓ１を外部に連通させるように当該蓋体４４を貫通する３つの吸気口４７が形成されている。
【００７２】
ベースプレート４５は、蓋体４４の内側面に固定されるプレート本体４８と、このプレート本体４８の内側面に貼着された３つの弾性部材（図示せず）とを備えている。プレート本体４８には、前記各吸気口４７の形成範囲に対応して３つの貫通孔（図示せず）が形成されている。図示は省略するが、前記弾性部材は、前記各貫通孔の縁部を構成するプレート本体４８の内側面に貼着されている。本実施形態では、この弾性部材の内側面がフィルタ８を押し付けるための取付面とされている。
【００７３】
ガイドバー４６は、前記プレート本体４８の上部内側面に立設された一対の脚部（図示せず）と、これら脚部の端部同士を連結する横棒４６ａとを一体に有するＵ字型の金属棒である。本実施形態では、横棒４６ａが回動軸として機能する。すなわち、横棒４６ａは、前記取付面と平行し、かつ、上下方向と直交する軸線を有している。したがって、この横棒４６ａと前記プレート本体４８との間に前記係合部４０を挿入することにより、フィルタ８を上下方向に回動させることが可能となる。
【００７４】
したがって、本実施形態では、前記横棒４６ａを中心として回動するフィルタ８の下端部によって前記ロック部材１６を変位させて、フィルタ８を側部ドア１１に取り付けることができる。
【００７５】
なお、前記各実施形態では、エンジンＥの冷却水を冷却するためのラジエータを熱交換器の一例として記載しているが、熱交換器はラジエータに限定されることはなく、例えば、油圧アクチュエータを作動させる作動油を冷却するためのオイルクーラであってもよい。
【図面の簡単な説明】
【００７６】
【図１】本発明に係る油圧ショベルの全体構成を示す平面図である。
【図２】図１の油圧ショベルの側面図である。
【図３】図２のIII−III線断面図である。
【図４】図１に示す上部ドアの内側を示す平面一部略図である。
【図５】図４のV−V線断面図である。
【図６】図５の要部を拡大して示す略図であり、（ａ）はフィルタ取り付け前の状態、（ｂ）はフィルタを離間位置とした状態、（ｃ）はロック部材が操作途中にある状態、（ｄ）はフィルタを圧接位置とした状態をそれぞれ示している。
【図７】図４のロック部材を拡大して示す、（ａ）は正面図、（ｂ）は平面図である。
【図８】図７のロック部材の動作を示す断面図であり、（ａ）は回動部が解放位置の状態、（ｂ）は回動部が押圧位置の状態をそれぞれ示している。
【図９】図１の側部ドアの内側面を示す正面図である。
【符号の説明】
【００７７】
Ｓ１    収納室
１    油圧ショベル（建設機械）
３    上部旋回体（機体）
４    作業アタッチメント
５    旋回フレーム（壁部）
６    カバー（壁部）
８    フィルタ
１５    回動軸
１６    ロック部材
１７、４７    吸気口
１９    弾性部材（シール部）
１９ａ    取付面
３４    被操作部
４０    係合部
４２    係合部（操作部）
４６ａ    横棒（回動軸）
【図１】
2008088653.tif 000003
【図２】
2008088653.tif 000004
【図３】
2008088653.tif 000005
【図４】
2008088653.tif 000006
【図５】
2008088653.tif 000007
【図６】
2008088653.tif 000008
【図７】
2008088653.tif 000009
【図８】
2008088653.tif 000010
【図９】
2008088653.tif 000011